(57)【要約】【課題】様々な環境下において、太陽電池ストリングの劣化を判定すること。【解決手段】太陽光発電システムの運用開始時を含む基準時における太陽電池ストリングの特性と、任意の診断時における前記太陽電池ストリングの特性とを比較して太陽電池ストリングの劣化を診断する太陽電池ストリング診断システムにおいて、太陽電池ストリング（１１〜１３）単位で最大電力点追従制御により選出される最大電力点を抽出する測定装置（１５）と、複数の日射強度毎の最大電力点における太陽電池ストリング全体のストリングシステム抵抗の逆数の回帰特性近似線形係数を算出する算出部（１７１）と、基準時に算出された回帰特性近似線形係数と、診断時に算出された回帰特性近似線形係数との比較結果に基づいて太陽電池ストリングの劣化を判定する判定部（１７３）と、を備える構成とした。【選択図】図１
2017223611.tif 000002
【特許請求の範囲】
【請求項１】
太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断システムであって、
前記太陽電池ストリング単位で最大電力点追従制御により選出される最大電力点を抽出する抽出手段と、
複数の日射強度毎の最大電力点における前記太陽電池ストリングのストリングシステム抵抗の逆数から求められる線形回帰式の線形係数を算出する算出手段と、
基準時に算出された前記線形係数と、診断時に算出された前記線形係数との比較結果に基づいて前記太陽電池ストリングの劣化を判定する判定手段と、を備えることを特徴とする太陽電池ストリング診断システム。
【請求項２】
前記判定手段は、診断時に算出された前記線形係数を、基準時に算出された前記線形係数で除算した値が所定値より大きい場合に前記太陽電池ストリングの全体的な劣化と判定することを特徴とする請求項１に記載の太陽電池ストリング診断システム。
【請求項３】
前記判定手段は、診断時に算出された前記線形係数を、基準時に算出された前記線形係数で除算した値が所定値以下である場合、基準時の前記線形係数の算出に使用した前記ストリングシステム抵抗の逆数と、診断時の前記線形係数の算出に使用した前記ストリングシステム抵抗の逆数との比較結果に応じて前記太陽電池ストリングの部分的な劣化を判定することを特徴とする請求項１又は請求項２に記載の太陽電池ストリング診断システム。
【請求項４】
前記判定手段は、診断時の前記線形係数の算出に使用した前記ストリングシステム抵抗の逆数を、基準時の前記線形係数の算出に使用した前記ストリングシステム抵抗の逆数で除算した値が所定値より小さい場合に前記太陽電池ストリングの部分的な劣化と判定することを特徴とする請求項３に記載の太陽電池ストリング診断システム。
【請求項５】
前記判定手段は、前記太陽電池ストリングの劣化判定に利用した前記線形係数又は前記値を示す画像データを生成することを特徴とする請求項１から請求項４のいずれかに記載の太陽電池ストリング診断システム。
【請求項６】
太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断方法であって、
前記太陽電池ストリング単位で最大電力点追従制御により選出される最大電力点を抽出するステップと、
複数の日射強度毎の最大電力点における前記太陽電池ストリングのストリングシステム抵抗の逆数から求められる線形回帰式の線形係数を算出するステップと、
基準時に算出された前記線形係数と、診断時に算出された前記線形係数との比較結果に基づいて前記太陽電池ストリングの劣化を判定するステップと、を備えることを特徴とする太陽電池ストリング診断方法。
【発明の詳細な説明】
【技術分野】
【０００１】
本発明は、太陽光発電システムで使用される太陽電池ストリングの劣化を診断する太陽電池ストリング診断システム及び太陽電池ストリング診断方法に関する。
【背景技術】
【０００２】
近年、エネルギーの買い取り価格（タリフ）を法律により定めるフィードインタリフの導入が世界的に進んでいる。これに伴い、企業のみならず一般家庭でも太陽光発電システムが導入され始めている。特に、広大な敷地に多数の太陽電池モジュールを敷き詰めたメガソーラーシステムが普及し始めている。このメガソーラーシステムでは、補助的な役割であった太陽光発電システムが基幹発電の一役を担い、地域の電力を賄うことが期待されている。
【０００３】
太陽光発電システムを構成する太陽電池ストリングは、複数の太陽電池モジュールが直列接続されて構成される。また、太陽電池モジュールは、太陽電池セルの直列回路で構成されている。太陽電池モジュールでは、モジュール内の部分的な陰や不具合の影響を抑制することを目的として複数のブロックに分割されている。そして、これらのブロック毎に電流の遮断を防止するためにバイパスダイオードが組み込まれている。このバイパスダイオードの作用により、太陽電池モジュールの部分的な不具合等の影響が吸収される。この結果、太陽電池モジュールから安定した発電出力の供給が確保される。
【０００４】
その反面、太陽電池モジュール単位で発電出力低下が発生する場合においても、バイパスダイオードの作用により、極端な発電出力の低下が防止される。このため、太陽電池モジュールパネルの欠陥の進展、ホットスポットの成長に伴う異常や破損を認識することが非常に困難である。そして、太陽電池モジュールパネルの異常や故障を放置しておくと、大幅な発電出力の低下の原因や安全上のリスクとなり得る。このため、早期に発見して必要な対応を採ることが望まれる。
【０００５】
従来、太陽電池モジュールを含む太陽電池ストリングが正常に動作しているかを診断する様々な手法が提案されている。例えば、特許文献１に記載の太陽光発電システムの故障診断システムは、太陽電池ストリング（ストリング）の故障を診断するストリング故障診断プログラムを有する。ストリング故障診断プログラムは、推定日射量及び推定動作温度を算出した後、これらを使用してストリング推定電流値を算出する。そして、実際に計測したストリング電流値とストリング推定電流値との比較結果に応じて、診断対象のストリングの劣化（故障）を判定する。
【先行技術文献】
【特許文献】
【０００６】
【特許文献１】特開２０１５−６８６９０号公報
【発明の概要】
【発明が解決しようとする課題】
【０００７】
しかしながら、上述したような特許文献１に記載の太陽光発電システムの故障診断システムにおいては、推定日射量及び推定動作温度を使用して算出したストリング推定電流値と、実際に計測したストリング電流値との比較結果に応じて、診断対象のストリングの劣化を判定している。このため、太陽光発電システムにおける損失因子が考慮されておらず、特定の環境下（例えば、太陽電池モジュールパネルに対して日陰の影響や、太陽電池モジュールパネルの汚れ、ＭＰＰＴ（Maximum  Power  Point  Tracking）などの環境下）で故障閾値の設定精度が低下し、ストリングの劣化を適切に判定できない事態が発生し得る。さらに、日射量の急峻な変化に応答するストリング電流の瞬時値を非同期のストリング推定電流で適切に比較できない事態が発生する。
【０００８】
一般に、太陽光発電システムでは、日陰等の外的要因や、パワーコンディショナにおけるＭＰＰＴ制御時の最大電力点のミスマッチ等の内的要因に基づく出力特性の変動を回避することが困難である。設置環境や整備状況等がシステム毎に異なる太陽光発電システムにおいては、このような外的要因や内的要因に基づく出力特性の変動を考慮してストリングの劣化を判定することが要請されている。
【０００９】
本発明は、このような実情に鑑みてなされたものであり、様々な環境下において、判定に用いる日射強度帯を限定し、回帰式を用いて太陽電池ストリングの劣化を判定することができる太陽電池ストリング診断システム及び太陽電池ストリング診断方法を提供することを目的とする。
【課題を解決するための手段】
【００１０】
本発明に係る太陽電池ストリング診断システムは、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断システムであって、前記太陽電池ストリング単位で最大電力点追従制御により選出される最大電力点を抽出する抽出手段と、複数の日射強度毎の最大電力点における前記太陽電池ストリングのストリングシステム抵抗の逆数から求められる線形回帰式の線形係数を算出する算出手段と、基準時に算出された前記線形係数と、診断時に算出された前記線形係数との比較結果に基づいて前記太陽電池ストリングの劣化を判定する判定手段と、を備えることを特徴とする。
【００１１】
例えば、本発明に係る太陽電池ストリング診断システムにおいて、前記判定手段は、診断時に算出された前記線形係数を、基準時に算出された前記線形係数で除算した値が所定値より大きい場合に前記太陽電池ストリングの全体的な劣化と判定する。
【００１２】
また、本発明に係る太陽電池ストリング診断システムにおいて、前記判定手段は、診断時に算出された前記線形係数を、基準時に算出された前記線形係数で除算した値が所定値以下である場合、基準時の前記線形係数の算出に使用した前記ストリングシステム抵抗の逆数と、診断時の前記線形係数の算出に使用した前記ストリングシステム抵抗の逆数との比較結果に応じて前記太陽電池ストリングの部分的な劣化を判定する。
【００１３】
例えば、本発明に係る太陽電池ストリング診断システムにおいて、前記判定手段は、診断時の前記線形係数の算出に使用した前記ストリングシステム抵抗の逆数を、基準時の前記線形係数の算出に使用した前記ストリングシステム抵抗の逆数で除算した値が所定値より小さい場合に前記太陽電池ストリングの部分的な劣化と判定する。
【００１４】
また、本発明に係る太陽電池ストリング診断システムにおいて、前記判定手段は、前記太陽電池ストリングの劣化判定に利用した前記線形係数又は前記値を示す画像データを生成する。
【００１５】
本発明に係る太陽電池ストリング診断方法は、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断方法であって、前記太陽電池ストリング単位で最大電力点追従制御により選出される最大電力点を抽出するステップと、複数の日射強度毎の最大電力点における前記太陽電池ストリングのストリングシステム抵抗の逆数から求められる線形回帰式の線形係数を算出するステップと、基準時に算出された前記線形係数と、診断時に算出された前記線形係数との比較結果に基づいて前記太陽電池ストリングの劣化を判定するステップと、を備えることを特徴とする。
【発明の効果】
【００１６】
本発明によれば、様々な環境下において、判定に用いる日射強度帯を限定し、回帰式を用いて太陽電池ストリングの劣化を判定することが可能となる。
【図面の簡単な説明】
【００１７】
【図１】本実施の形態に係る太陽電池ストリング診断システムの構成を示すブロック図である。
【図２】本実施の形態に係る太陽電池ストリング診断システムに適用される太陽電池モジュールの拡大図である。
【図３】ＭＰＰＴ制御で選出される最大電力点の説明図である。
【図４】本実施の形態に係る太陽電池ストリング診断システムにおける劣化判定動作を説明するためのフロー図である。
【図５】本実施の形態に係る太陽電池ストリング診断システムにおける基準時線形係数算出処理を説明するためのフロー図である。
【図６】図５に示す基準時線形係数算出処理で収集されるストリング電圧値及びストリング電流値の説明図である。
【図７】図５に示す基準時線形係数算出処理で算出される基準時線形回帰式の説明図である。
【図８】本実施の形態に係る太陽電池ストリング診断システムにおける診断時線形係数算出処理を説明するためのフロー図である。
【図９】図８に示す診断時線形係数算出処理で収集されるストリング電圧値及びストリング電流値の説明図である。
【図１０】図８に示す診断時線形係数算出処理で算出される診断時線形回帰式の説明図である。
【図１１】図８に示す診断時線形係数算出処理で収集されるストリング電圧値及びストリング電流値の説明図である。
【図１２】図８に示す診断時線形係数算出処理で算出される診断時線形回帰式の説明図である。
【図１３】図４に示す劣化判定処理を説明するためのフロー図である。
【図１４】本実施の形態の変形例に係る太陽電池ストリング診断システムの構成を示すブロック図である。
【発明を実施するための形態】
【００１８】
以下、本発明の一実施の形態について添付図面を参照して詳細に説明する。本実施の形態に係る太陽電池ストリング診断システム（以下、適宜「診断システム」という）は、例えば、メガソーラーシステムにおける太陽電池ストリングの診断に好適に利用される。以下においては、本実施の形態に係る診断システムがメガソーラーシステムに適用される場合を例として説明する。しかしながら、本実施の形態に係る診断システムが適用される対象はメガソーラーシステムに限定されるものではなく、より小規模な太陽光発電システムに適用することができる。
【００１９】
図１は、本実施の形態に係る太陽電池ストリング診断システム（診断システム）１０の構成を示すブロック図である。なお、図１においては、メガソーラーシステムを構成する多数の太陽電池アレイ、太陽電池ストリングのうち、説明の便宜上、３個の太陽電池ストリング（以下、単に「ストリング」という）１１〜１３のみを示している。
【００２０】
図１に示すように、本実施の形態に係る診断システム１０は、複数のストリング１１〜１３、パワーコンディショナ１４、ストリング電気特性測定装置（測定装置）１５、ストリング電気特性受信サーバ（受信サーバ）１６、診断装置１７及び監視装置１８を含んで構成される。診断システム１０では、敷地内に設置されたストリング１１〜１３におけるストリング電圧及びストリング電流を測定し、その測定結果に基づいてストリング１１〜１３毎の劣化を診断するものである。
【００２１】
それぞれのストリング１１〜１３は、例えば、最大出力２５０Ｗの太陽電池モジュール２０が直列に９枚接続されることにより、最大出力２２５０Ｗのストリングとして構成される。太陽電池モジュール２０は、太陽光を表面（モジュール表面）に受光し、太陽光エネルギーを電気エネルギー（直流）に変換する。なお、これらの太陽電池モジュール２０は、太陽電池パネルと呼ぶこともできる。
【００２２】
ストリング１１〜１３は、診断システム１０が設けられる敷地内に整列して配置されている。また、それぞれのストリング１１〜１３においては、太陽電池モジュール２０が整列して配置されている。図１では、同図に示す上下方向に一定間隔で配置された３枚の太陽電池モジュール２０が同図に示す左右方向に３列配置された場合について示している。ストリング１１〜１３は、それぞれ逆流防止ダイオード（ブロッキングダイオード）２１〜２３を介してパワーコンディショナ１４に接続されている。
【００２３】
図２は、本実施の形態に係る診断システム１０に適用される太陽電池モジュール２０の拡大図である。図２に示すように、太陽電池モジュール２０は、複数の太陽電池セル２０１を含んでいる。太陽電池モジュール２０内の太陽電池セル２０１は、インターコネクタのはんだ接続によって全て直列に配線された電気回路となっている。太陽電池モジュール２０は、太陽電池モジュール２０内の部分的な陰や故障・不具合の影響を抑えることを目的として複数の直列回路群に分割されている。これらの直列回路群には、ストリング電流の遮断を防ぐためのバイパスダイオード２０２が並列に組み込まれている。なお、これらのバイパスダイオード２０２で分割された部分的な太陽電池セル群は、サブストリングやクラスタと呼ばれることがある。本明細書においては、これらの太陽電池セル群をサブストリング２０３と呼ぶものとする。
【００２４】
パワーコンディショナ１４は、ストリング１１〜１３の挙動を制御する。また、パワーコンディショナ１４は、ストリング１１〜１３によって生成された直流電力を交流電力に変換する。例えば、パワーコンディショナ１４は、図示しない商用電源や負荷に接続される。このような場合、ストリング１１〜１３で発電された電力は負荷で消費され、或いは、商用電源に売電される。
【００２５】
また、パワーコンディショナ１４は、メガソーラーシステム（太陽光発電システム）における発電量を最大化する制御を行う。例えば、パワーコンディショナ１４は、ストリング１１〜１３（太陽電池モジュール２０）の特性に合わせ、発電できる電力を最大化する最大電力点追従（ＭＰＰＴ：Maximum  Power  Point  Tracking）制御を行う。ＭＰＰＴ制御では、太陽電池モジュール２０の出力を常に最大化できるように、太陽電池アレイＡから最大の電力を引き出せる電圧（最大電力点）を求める。そして、その電圧がストリング動作電圧となり、シリーズに構成された太陽電池モジュール２０の分担電圧となって太陽電池モジュール２０を日射量に応じて発電させる。
【００２６】
メガソーラーシステムでは、一般にＭＰＰＴ制御として山登り法が適用されている。山登り法では、一定の更新間隔で電圧（ストリング電圧）を一定量だけ変化（増加又は減少）させると共に、変化後の電力を求める。そして、変化後の電力と、電圧を変化させる前の電力とを比較し、電力が大きい電圧を選択する。このようなＭＰＰＴ制御（山登り法）により、メガソーラーシステムでは、気象条件等の変化で常に変動する最大電力点に追従しながら最大の発電量を確保することができる。
【００２７】
ストリング電気特性測定装置（以下、適宜「測定装置」という）１５は、メガソーラーシステムのストリング１１〜１３におけるストリング単位での電気特性を測定する。ここで言う電気特性とは、ストリング単位での発電電圧や発電電流である。すなわち、測定装置１５は、ストリング１１〜１３におけるストリング電圧及びストリング電流を測定する。測定装置１５は、抽出手段の一例を構成するものであり、詳細について後述するように、ＭＰＰＴ制御で選出される最大電力点を抽出する。なお、測定装置１５は、ストリング監視ユニットと呼ばれることもある。
【００２８】
ストリング電気特性受信サーバ（以下、適宜「受信サーバ」という）１６は、測定装置１５に接続される。受信サーバ１６は、測定装置１５で測定されたストリング単位での電気特性データを保存する。例えば、受信サーバ１６は、ストリング単位の電流値や電圧値を、データとして保存する。また、上記以外のデータとして、受信サーバ１６は、後述する診断装置１７の判定部１７３によるストリング１１〜１３の判定結果（正常／異常の判定結果）を保存する。受信サーバ１６は、これらのストリング単位の電流や電圧の測定値等のデータを、一定期間（例えば、１か月）保存することができる。
【００２９】
診断装置１７は、例えば、線形係数算出部（以下、適宜「算出部」という）１７１、記憶部１７２、判定部１７３、表示部１７４及び通信部１７５を含んで構成される。なお、診断装置１７の構成については、図１に示す内容に限定されるものではなく適宜変更が可能である。なお、算出部１７１は、算出手段の一例を構成し、判定部１７３は、判定手段の一例を構成する。
【００３０】
算出部１７１は、測定部１５で測定されたストリング電流及びストリング電圧に基づいて、ストリング１１〜１３毎の抵抗（以下、「ストリングシステム抵抗」という）及びその逆数（以下、「ストリングシステム抵抗逆数」という）を求める。なお、これらのストリングシステム抵抗及びストリングシステム抵抗逆数は、それぞれシステム抵抗及びシステムアクセプタンスと呼ぶこともできる。より具体的には、算出部１７１は、複数の日射強度毎にＭＰＰＴ制御で求められる最大電力点におけるストリング電流及びストリング電圧から、ストリングシステム抵抗及びストリングシステム抵抗逆数を求める。
【００３１】
また、算出部１７１は、複数の日射強度毎の最大電力点におけるストリングシステム抵抗逆数から線形回帰式を求めると共に、その線形回帰式における線形係数を求める。線形回帰式は、複数の日射強度毎の最大電力点におけるストリングシステム抵抗逆数の特性を示す式である。また、線形回帰式の線形係数は、線形回帰式における傾きを示す係数である。算出部１７１は、これらの線形回帰式及び線形係数を、太陽光電池システムの運用開始を含む基準時や、任意のストリング１１〜１３の劣化診断時に算出する。なお、これらの線形回帰式及び線形係数の算出方法については後述する。
【００３２】
記憶部１７２は、ストリング１１〜１３の正常／異常の判定に必要となる各種の情報を記憶する。例えば、記憶部１７２は、基準時に算出された線形回帰式の線形係数（以下、「基準時線形係数」という）を記憶する。また、記憶部１７２は、基準時線形係数を算出する際に使用されたストリングシステム抵抗及びストリングシステム抵抗逆数を記憶する。さらに、記憶部１７２は、ストリング１１〜１３の全体的又は部分的な劣化を判定するための閾値（図１３のステップＳＴ１３０１又はＳＴ１３０４参照）を記憶する。さらに、記憶部１７２は、判定部１７３によるストリング１１〜１３の判定結果を記憶する。
【００３３】
判定部１７３は、基準時線形係数及び診断時に算出される線形回帰式の線形係数（以下、「診断時線形係数」という）の比較結果に基づいて、ストリング１１〜１３の全体的な劣化又は部分的な劣化を判定する。また、判定部１７３は、基準時線形係数を算出する際に使用されたストリングシステム抵抗逆数と、診断時線形係数を算出する際に使用されたストリングシステム抵抗逆数との比較結果に基づいてストリング１１〜１３の部分的な劣化を判定する。なお、判定部１７３は、ストリング１１〜１３の全体的な劣化又は部分的な劣化を示す画像データ（ストリング状態診断画像データ）を生成する。例えば、判定部１７３は、ストリング１１〜１３の劣化判定に利用した線形係数（基準時線形係数、診断時線形係数）又はこれらの線形係数を算出する際に使用される後述のストリングシステム抵抗逆数の値（ＳＡｓ値、ＳＡｃ値）を示すストリング状態診断画像データを生成することができる。
【００３４】
表示部１７４は、液晶ディスプレイなどの出力手段で構成され、判定部１７３による判定結果を表示する。例えば、表示部１７４は、判定部１７３により生成されたストリング状態診断画像データを表示する。このストリング状態診断画像データには、正常／異常と判定されたストリング１１〜１３の位置を特定する情報が含まれることが好ましい。例えば、診断システム１０における全てのストリング１１〜１３の位置を示すと共に、正常又は異常と判定されたストリング１１〜１３をそれぞれ異なる色で表示することは実施の形態として好ましい。
【００３５】
通信部１７５は、有線又は無線により接続された監視装置１８との間で通信を行う。例えば、通信部１７５は、判定部１７３による判定結果（ストリング１１〜１３の正常／異常（劣化）の判定結果）を監視装置１８に送信する。なお、監視装置１８は、診断システム１０の遠隔地に配置することができる。この場合、通信部１７５は、無線により判定結果を監視装置１８に送信することが好ましい。
【００３６】
監視装置１８では、通信部１７５から受け取った判定結果を管理する。例えば、監視装置１８は、この判定結果をストリング１１〜１３の経年劣化の診断に利用する。監視装置１８により、診断装置１７の診断結果（劣化判定結果）を管理することにより、本実施の形態に係る診断システム１０は、太陽電池ストリング監視システムとしても機能する。すなわち、診断システム１０は、ストリング１１〜１３における任意の診断時の劣化を判定すると共に、経年劣化を判定することができる。
【００３７】
ところで、太陽光発電システムのパワーコンディショナで実行されるＭＰＰＴ制御では、日射強度に応じて太陽電池モジュールから最大の電力を引き出せる電圧（最大電力点）を求める。以下、このＭＰＰＴ制御で選出される最大電力点の一例について、図３を参照して説明する。図３は、ＭＰＰＴ制御で選出される最大電力点の一例の説明図である。
【００３８】
図３において、実線ＩＶ１は、日射強度が１０００Ｗ／ｍ２時の電流−電圧特性（Ｉ−Ｖ特性）を示す。また、実線ＩＶ２、ＩＶ３、ＩＶ４及びＩＶ５は、それぞれ日射強度が８００Ｗ／ｍ２、６００Ｗ／ｍ２、４００Ｗ／ｍ２及び２００Ｗ／ｍ２時のＩ−Ｖ特性を示す。一方、破線ＰＶ１は、日射強度が１０００Ｗ／ｍ２時の電力−電圧特性（Ｐ−Ｖ特性）を示す。また、破線ＰＶ２、ＰＶ３、ＰＶ４及びＰＶ５は、それぞれ日射強度が８００Ｗ／ｍ２、６００Ｗ／ｍ２、４００Ｗ／ｍ２及び２００Ｗ／ｍ２時のＰ−Ｖ特性を示す。
【００３９】
図３に示すように、ＭＰＰＴ制御においては、日射強度が１０００Ｗ／ｍ２の場合に、最大電力点としてＭＰＰ１が選出され、このＭＰＰ１に対応する電圧値で太陽電池モジュールが発電される。同様に、日射強度が８００Ｗ／ｍ２、６００Ｗ／ｍ２、４００Ｗ／ｍ２及び２００Ｗ／ｍ２の場合に、それぞれ最大電力点としてＭＰＰ２、ＭＰＰ３、ＭＰＰ４及びＭＰＰ５が選出され、これらのＭＰＰ２〜ＭＰＰ５に対応する電圧値で太陽電池モジュールが発電される。これらのＭＰＰ１〜ＭＰＰ５は、対応するＰ−Ｖ特性の最大値に対応している。
【００４０】
ＭＰＰＴ制御で選出される最大電力点は、太陽電池モジュールを発電するための電圧値の特定に利用され、それ以外の用途に利用されることは少ない。一方で、任意の日射強度に応じてＭＰＰＴ制御で選出される最大電力点は、設置環境や整備状況等の影響を含む太陽電池ストリングの特性を示すと考えることができる。本発明者らは、日射強度に応じてＭＰＰＴ制御で選出される最大電力点から求められる太陽電池ストリングの特性を、太陽電池ストリングの劣化判定に利用し得ることを見出し、本発明に想到した。
【００４１】
すなわち、本発明の骨子は、複数の日射強度毎の最大電力点における太陽電池ストリング全体の抵抗（ストリングシステム抵抗）の逆数（ストリングシステム抵抗逆数）から求められる線形回帰式の線形係数を算出し、太陽光発電システムの運用開始時等の基準時に算出された線形回帰式の線形係数（基準時線形係数）と、任意の診断時に算出された線形回帰式の線形係数（診断時線形係数）との比較結果に基づいて太陽電池ストリングの劣化を判定することである。
【００４２】
本発明によれば、基準時及び診断時における複数の日射強度毎の最大電力点におけるストリングシステム抵抗の逆数から求められる線形回帰式の線形係数の比較結果に基づいて太陽電池ストリングの劣化が判定される。ここで、複数の日射強度毎の最大電力点におけるストリングシステム抵抗には、太陽電池モジュールの電極部材の劣化（フィンガー、はんだ、背面電極）及び太陽電池ストリングが有する構成部品の接触抵抗の増加や損傷、日陰等の外的要因やＭＰＰＴ制御時の最大電力点のミスマッチ等の影響が含まれる。このような外的要因等の影響を受けるストリングシステム抵抗の逆数の線形回帰式の線形係数を用いて太陽電池ストリングの劣化が判定されるので、様々な環境下において、太陽電池ストリングの異常や劣化を判定することができる。
【００４３】
以下、本実施の形態に係る診断システム１０において、ストリング１１〜１３の劣化を判定する際の動作について説明する。図４は、本実施の形態に係る診断システム１０における劣化判定動作を説明するためのフロー図である。
【００４４】
ストリング１１〜１３の劣化を判定する際、診断システム１０は、まず、基準時の線形回帰式の線形係数（基準時線形係数）を算出する処理（基準時線形係数算出処理）を行う（ステップＳＴ４０１）。基準時線形係数算出処理は、ストリング１１〜１３の劣化判定を行う際に基準となる線形係数（基準時線形係数）を算出する処理であり、例えば、太陽光発電システムの運用開始時や診断システム１０の導入時に行われる。また、基準時線形係数算出処理は、基準時線形係数を更新するため、定期的（例えば、３か月に一回）に行うこともできる。基準時線形係数算出処理では、予め定めた複数の日射強度毎にＭＰＰＴ制御で求められる最大電力点（ＭＰＰ）を抽出し、それぞれの最大電力点におけるストリングシステム抵抗逆数から、基準時における線形回帰式（基準時線形回帰式）を求め、この基準時線形回帰式に含まれる線形係数（基準時線形係数）を算出する。
【００４５】
以下、この基準時線形係数算出処理について、図５を参照して具体的に説明する。図５は、本実施の形態に係る診断システム１０における基準時線形係数算出処理を説明するためのフロー図である。
【００４６】
図５に示すように、基準時線形係数算出処理では、診断対象となるストリング１１〜１３が選択された後、日射強度が、予め定めた日射強度（所定の日射強度）か否かを判定する（ステップＳＴ５０１）。ここでは、診断対象としてストリング１１が選択されるものとする。本実施の形態では、所定の日射強度として、７００Ｗ／ｍ２、６００Ｗ／ｍ２、５００Ｗ／ｍ２、４００Ｗ／ｍ２、３００Ｗ／ｍ２及び２００Ｗ／ｍ２の日射強度を判定するものとする。なお、所定の日射強度でない場合には（ステップＳＴ５０１：Ｎｏ）、ステップＳＴ５０１の判定動作が継続して行われる。診断対象となるストリング１１〜１３は、システムの設定状況に応じて任意に選択が可能である。また、全てのストリング１１〜１３を一括的に選択するようにしてもよい。
【００４７】
上述したいずれかの日射強度であると判定されると（ステップＳＴ５０１：Ｙｅｓ）、ストリング１１の電圧特性（ストリング電圧特性）が収集される（ステップＳＴ５０２）。続いて、ストリング１１の電流特性（ストリング電流特性）が収集される（ステップＳＴ５０３）。ストリング電圧特性及びストリング電流特性が収集される過程にて、ＭＰＰＴ制御により選出される最大電力点が測定装置１５にて抽出される。これらのストリング電圧特性及びストリング電流特性は、測定装置１５で測定され、受信サーバ１６に保存されることで収集される。日射強度の判定は、図示しない日射計の計測結果に基づいて測定装置１５で行われる。
【００４８】
例えば、ステップＳＴ５０２、ＳＴ５０３におけるストリング電圧及びストリング電流は、それぞれ実運転データ、あるいは近似的に以下の式１、式２により算出することができる。なお、式１において、「γ」は太陽電池モジュール２０に依存する定数を示し、△Ｔは基準時からの温度上昇を示している。式２において、「Ｗ」は日射強度（Ｗ／ｍ２）を示し、「Ｖ」はストリング電圧を示す。「Ｃ」、「α」、「β」は太陽電池モジュール２０に依存する定数を示している。また、
ストリング電圧（Ｖ）  ＝  基準時のＶ＊（１−γ）＊△Ｔ）  …  式１
ストリング電流（Ｉ）  ＝  Ｃ＊Ｗ−α（ｅｘｐ（βＶ）−１）  …  式２
【００４９】
これらのストリング電圧特性及びストリング電流特性が収集された後、算出部１７１によって最大電力点（ＭＰＰ）におけるストリングシステム抵抗逆数（ストリングシステム抵抗逆数）が算出される（ステップＳＴ５０４）。ストリングシステム抵抗逆数は、受信サーバ１６に保存された最大電力点におけるストリング電圧をストリング電流で除算して得られるストリングシステム抵抗の逆数を求めることで算出される。算出されたストリングシステム抵抗逆数は、受信サーバ１６に出力され保存される。
【００５０】
ここで、ストリングシステム抵抗でなくストリングシステム抵抗逆数を算出するのは、後述する劣化判定処理での判定のし易さを考慮したものである。すなわち、複数の日射強度毎の最大電力点におけるストリングシステム抵抗逆数から求められる線形回帰式は、ストリング電流とストリングシステム抵抗逆数との相間を示すグラフにおいて、原点を通る直線を構成する。このため、線形回帰式に含まれる線形係数（基準時線形係数及び診断時線形係数）の大きさに応じてストリング１１の劣化を判定するのに好適であるからである。
【００５１】
最大電力点におけるストリングシステム抵抗が算出された後、所定の日射強度の全てに対して処理が終了しているか、すなわち、全ての日射強度のストリングシステム抵抗逆数が算出されたかが判定される（ステップＳＴ５０５）。この判定処理は、例えば、測定装置１５で行われる。なお、所定の日射強度の全てに対して処理が終了していない場合には（ステップＳＴ５０５：Ｎｏ）、ステップＳＴ５０１〜ＳＴ５０５の処理が繰り返される。すなわち、７００Ｗ／ｍ２、６００Ｗ／ｍ２、５００Ｗ／ｍ２、４００Ｗ／ｍ２、３００Ｗ／ｍ２及び２００Ｗ／ｍ２の日射強度毎の最大電力点におけるストリングシステム抵抗逆数の算出が完了するまでステップＳＴ５０１〜ＳＴ５０５の処理が繰り返される。
【００５２】
一方、所定の日射強度の全てに対して処理が終了している場合には（ステップＳＴ５０５：Ｙｅｓ）、算出部１７１により基準時線形係数ＳＡｓが算出される（ステップＳＴ５０６）。算出部１７１は、受信サーバ１６から、全ての日射強度毎の最大電力点におけるストリングシステム抵抗逆数を受け取り、これらのストリングシステム抵抗逆数から基準時線形回帰式を求め、この基準時線形回帰式に含まれる基準時線形係数を算出する。
【００５３】
図６に、基準時線形係数算出処理で抽出される日射強度毎の最大電力点におけるストリング電圧及びストリング電流の一例を示す。なお、図６Ａにおいては、ストリング電圧及びストリング電流から算出されるストリングシステム抵抗及びストリングシステム抵抗逆数（抵抗逆数）を示している。また、図６Ｂ又は図６Ｃにおいては、最大電力点におけるストリング電圧及びストリング電流を、ＭＰＰストリング電圧及びＭＰＰストリング電流と示している。
【００５４】
図６Ａにおいては、日射強度が７００Ｗ／ｍ２の場合にＭＰＰストリング電流として５．６Ａが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ４．８Ａ、４．０Ａ、３．２Ａ、２．４Ａ及び１．６Ａが抽出される。また、日射強度が７００Ｗ／ｍ２の場合にＭＰＰストリング電圧として５８４Ｖが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ５７４Ｖ、５６４Ｖ、５５２Ｖ、５３６Ｖ及び５１６Ｖが抽出される。
【００５５】
この場合、ストリングシステム抵抗は、日射強度が７００Ｗ／ｍ２の場合に１０４Ωと算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ１１９Ω、１４１Ω、１７３Ω、２２５Ω及び３２７Ωが算出される。また、ストリングシステム抵抗逆数は、日射強度が７００Ｗ／ｍ２の場合に０．０１０と算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ０．００８、０．００７、０．００６、０．００４及び０．００３が抽出される。
【００５６】
図６Ｂには、基準時における日射強度とＭＰＰストリング電圧との相間を示している。図６Ｂに示すように、基準時において、ＭＰＰストリング電圧は、日射強度が大きくなるに連れて緩やかに上昇する特性を示している。一方、図６Ｃには、基準時における日射強度とＭＰＰストリング電流との相間を示している。図６Ｃに示すように、基準時において、ＭＰＰストリング電流は、日射強度が大きくなるに連れて上昇する特性を示している。
【００５７】
図７に、基準時線形係数算出処理で抽出されるＭＰＰストリング電流とストリングシステム抵抗逆数との相間を示す。図７では、ＭＰＰストリング電流とストリングシステム抵抗逆数とが示すＩＲ動作点を日射強度毎にプロットしている。図７では、ＩＲ動作点として、日射強度７００Ｗ／ｍ２、６００Ｗ／ｍ２、５００Ｗ／ｍ２、４００Ｗ／ｍ２、３００Ｗ／ｍ２及び２００Ｗ／ｍ２に対応づけて、それぞれＩＲ７０、ＩＲ６０、ＩＲ５０、ＩＲ４０、ＩＲ３０、ＩＲ２０と示している。
【００５８】
図７に示すように、基準時において、ＩＲ動作点は、日射強度が大きくなるに連れてＭＰＰストリング電流とストリングシステム抵抗逆数が大きくなる特性を示している。算出部１７１は、このように抽出された複数のＩＲ動作点ＩＲ２０〜ＩＲ７０から、最小二乗法を用いて基準時線形回帰式を算出する。この場合、基準時線形回帰式として、ｙ＝０．００１６ｘ＋０．０００６が求められる。なお、決定係数Ｒ２は、０．９９９６である。
【００５９】
ここで、この基準時線形回帰式の右辺の第１項の係数（０．００１６）は、基準時線形回帰式の傾斜角度を示す線形係数と呼ぶことができる。基準時線形係数算出処理のステップＳＴ５０６においては、この線形係数（基準時線形係数）を算出する。これにより、太陽光発電システムにおける基準となる線形回帰式（基準時線形回帰式）の傾斜角度を示す線形係数（基準時線形係数）が算出される。
【００６０】
このような基準時線形係数算出処理を行った後、診断システム１０は、図４に示すように、診断時の線形回帰式の線形係数（診断時線形係数）を算出する処理（診断時線形係数算出処理）を行う（ステップＳＴ４０２）。診断時線形係数算出処理は、劣化判定の対象となるストリング１１〜１３の任意の診断時における線形係数（診断時線形係数）を算出する処理であり、例えば、毎日、太陽光発電システムの稼働を終了する際に行われる。診断時線形係数算出処理では、予め定めた複数の日射強度毎にＭＰＰＴ制御で求められる最大電力点（ＭＰＰ）を抽出し、それぞれの最大電力点におけるストリングシステム抵抗逆数から、診断時における線形回帰式（診断時線形回帰式）を求め、この診断時線形回帰式に含まれる線形係数（診断時線形係数）を算出する。
【００６１】
以下、この診断時線形係数算出処理について、図８を参照して具体的に説明する。図８は、本実施の形態に係る診断システム１０における診断時線形係数算出処理を説明するためのフロー図である。
【００６２】
図８に示す診断時線形係数算出処理は、ステップＳＴ８０１で診断時線形係数ＳＡｃが算出される点を除き、図５に示す基準時線形係数算出処理と共通の処理である。図８において、図５に示す共通の処理については同一の符号を付与し、その説明を省略する。図８に示すように、診断時線形係数算出処理では、ステップＳＴ５０５にて所定の日射強度の全てに対して処理が終了している場合には、算出部１７１により診断時線形係数ＳＡｃが算出される（ステップＳＴ８０１）。算出部１７１は、受信サーバ１６から、全ての日射強度毎の最大電力点におけるストリングシステム抵抗逆数を受け取り、これらのストリングシステム抵抗逆数から診断時線形回帰式を求め、この診断時線形回帰式に含まれる診断時線形係数を算出する。
【００６３】
なお、ストリング１１〜１３の劣化判定のための線形係数（基準時線形係数や診断時線形係数）を算出する際には、診断時における太陽光発電システムの温度を考慮する必要がある。温度は、ステップＳＴ５０２のストリング電圧特性に大きな影響を与えるためである。例えば、診断時における温度が、基準時における温度より１０℃上昇すれば開放電圧は約３％下がる。このため、診断時線形係数算出処理の際には、判定精度向上のために基準時線形係数算出処理の温度と判定基準を合致させる必要がある。すなわち、基準時線形係数と診断時線形係数とが、同一の温度環境下で算出されたように補正を行うことが好ましい。
【００６４】
診断時線形係数の補正処理を容易にするために、基準時線形係数算出処理の際の温度を「２５℃」に設定することは実施の形態として好ましい。一般に、太陽電池モジュール２０は、標準状態として２５℃での使用が想定されている。このため、この２５℃での使用を想定し、基準時線形係数を２５℃における値に補正しておくと、診断時線形係数算出処理の際に診断時線形係数を適切に補正することが可能となる。
【００６５】
また、実用に当たり、上述の基準時線形回帰式を複数、例えば０℃、１５℃、２５℃、３５℃の各近傍温度について実測し、あるいは上述した式１、式２により予め計算しておくことは実施の形態として好ましい。そして、診断時線形係数算出処理時の温度に近い基準線形回帰式を選択し、あるいは診断時温度に近い基準時線形回帰式２個から診断時温度の基準線形回帰式を補完演算により求め、これを基準時線形回帰式に切り替えることにより判定精度が向上する。
【００６６】
ここで、診断時線形算出処理で抽出される日射強度毎の最大電力点におけるストリング電圧及びストリング電流の一例及び診断時線形回帰式の一例について図９〜図１２を参照して説明する。図９及び図１０には、診断対象のストリング１１が全体的に劣化している場合の一例を示し、図１１及び図１２には、診断対象となるストリング１１が部分的に劣化している場合の一例を示している。
【００６７】
診断対象のストリング１１が全体的に劣化している場合、ストリング１１の電圧が低下することが想定される。例えば、結晶系シリコンを使った太陽電池では５年間で３％程度出力が低下することは周知である。このため、経年により太陽電池モジュールの電極部材の劣化（フィンガー、はんだ、背面電極の劣化）に伴い、当該太陽電池モジュールの最大出力の低下、当該モジュール電圧の低下によりストリング電流が低下することが予想される。
【００６８】
一方、診断対象のストリング１１が部分的に異常や劣化し、ストリング１１の電流が低下する場合がある。例えば、ストリング１１の電流の低下の要因としては、特定の太陽電池モジュール２０に含まれる直列抵抗の増加、外部配線コネクタの接触不良等が想定される。また、特定の太陽電池モジュール２０に影がかかる場合や、特定の太陽電池モジュール２０が損傷して外的ダメージを受けた場合にも、ストリング１１の電流の低下の要因となり得る。
【００６９】
ここで、ストリング１１に含まれる特定の太陽電池モジュール２０に異常が発生したケースを想定する。この場合、異常が発生した太陽電池モジュール２０の電圧が低下し、サブストリング２０３毎に設置されたバイバスダイオード２０２が動作し、当該太陽電池モジュール２０が発電に寄与しなくなる。この場合でも、ストリング１１の電圧は、正常なストリングと同電圧を示すので、正常な太陽電池モジュール２０の電圧が上昇する。この場合、正常な太陽電池モジュール２０の動作点は、Ｉ−Ｖ特性上高電圧側に移動することとなり、ストリング電流が低下する。
【００７０】
図９に、診断時線形係数算出処理で抽出される日射強度毎の最大電力点におけるストリング電圧及びストリング電流の一例を示す。なお、図９Ａにおいては、ストリング電圧及びストリング電流から算出されるストリングシステム抵抗及びストリングシステム抵抗逆数を示している。また、図９Ｂ又は図９Ｃにおいては、最大電力点におけるストリング電圧及びストリング電流を、ＭＰＰストリング電圧及びＭＰＰストリング電流と示している。
【００７１】
図９Ａにおいては、日射強度が７００Ｗ／ｍ２の場合にＭＰＰストリング電流として５．４Ａが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ４．８Ａ、４．０Ａ、３．２Ａ、２．４Ａ及び１．６Ａが抽出される。また、日射強度が７００Ｗ／ｍ２の場合にＭＰＰストリング電圧として４９６Ｖが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ４７７Ｖ、４６５Ｖ、４５５Ｖ、４４２Ｖ及び４２４Ｖが抽出される。
【００７２】
この場合、ストリングシステム抵抗は、日射強度が７００Ｗ／ｍ２の場合に９２Ωと算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ１００Ω、１１６Ω、１４２Ω、１８５Ω及び２６８Ωが算出される。また、ストリングシステム抵抗逆数は、日射強度が７００Ｗ／ｍ２の場合に０．０１１と算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ０．０１０、０．００９、０．００７、０．００５及び０．００４が抽出される。
【００７３】
図９Ｂには、診断時における日射強度とＭＰＰストリング電圧との相間を示している。図９Ｂに示すように、診断時において、ＭＰＰストリング電圧は、日射強度が大きくなるに連れて緩やかに大きくなる特性を示している。なお、図９Ｂでは、説明の便宜上、基準時線形係数算出処理で抽出された日射強度とＭＰＰストリング電圧との相間を示している（図６Ｂ参照）。図９Ｂから分かるように、診断時線形係数算出処理で抽出されたＭＰＰストリング電圧は、基準時線形係数算出処理で抽出されたＭＰＰストリング電圧よりも値が全般的に小さくなっている。
【００７４】
図９Ｃには、診断時における日射強度とＭＰＰストリング電流との相間を示している。図９Ｃに示すように、診断時において、ＭＰＰストリング電流は、日射強度が大きくなるに連れて大きくなる特性を示している。なお、図９Ｃでは、説明の便宜上、基準時線形係数算出処理で抽出された日射強度とＭＰＰストリング電流との相間を示している（図６Ｃ参照）。図９Ｃから分かるように、診断時線形係数算出処理で抽出されたＭＰＰストリング電流は、基準時線形係数算出処理で抽出されたＭＰＰストリング電流と略同一の値となっている。
【００７５】
図１０に、診断時線形係数算出処理で抽出されるＭＰＰストリング電流とストリングシステム抵抗逆数との相間を示す。図１０では、図７と同様に、ＭＰＰストリング電流とストリングシステム抵抗逆数とが示すＩＲ動作点を日射強度毎にプロットしている。図１０では、ＩＲ動作点として、日射強度７００Ｗ／ｍ２、６００Ｗ／ｍ２、５００Ｗ／ｍ２、４００Ｗ／ｍ２、３００Ｗ／ｍ２及び２００Ｗ／ｍ２に対応づけて、それぞれＩＲ７１、ＩＲ６１、ＩＲ５１、ＩＲ４１、ＩＲ３１、ＩＲ２１と示している。なお、図１０では、説明の便宜上、基準時線形係数算出処理で得られたＩＲ動作点を示している（図７参照）。
【００７６】
図１０に示すように、診断時において、ＩＲ動作点は、日射強度が大きくなるに連れてＭＰＰストリング電流とストリングシステム抵抗逆数が大きくなる特性を示している。算出部１７１は、このように抽出された複数のＩＲ動作点ＩＲ２１〜ＩＲ７１から、最小二乗法を用いて診断時線形回帰式を算出する。この場合、診断時線形回帰式として、ｙ＝０．００１９ｘ＋０．０００９が求められる。なお、決定係数Ｒ２は、０．９９７２である。
【００７７】
ここで、基準時線形回帰式と同様に、診断時線形回帰式の右辺の第１項の係数（０．００１９）は、診断時線形回帰式の傾斜角度を示す線形係数と呼ぶことができる。診断時線形係数算出処理のステップＳＴ８０１においては、この線形係数（診断時線形係数）を算出する。これにより、診断時における線形回帰式（診断時線形回帰式）の傾斜角度を示す線形係数（診断時線形係数）が算出される。図１０から分かるように、診断対象となるストリング１１が全体的に劣化している場合には、診断時線形係数が基準時線形係数より大きく、診断時線形回帰式が基準時線形回帰式よりも傾斜角度が大きくなっている。
【００７８】
図１１に、診断時線形係数算出処理で抽出される日射強度毎の最大電力点におけるストリング電圧及びストリング電流の他の一例を示す。なお、図１１Ａにおいては、ストリング電圧及びストリング電流から算出されるストリングシステム抵抗（ストリングシステム抵抗）及びストリングシステム抵抗逆数（抵抗逆数）を示している。また、図１１Ｂ又は図１１Ｃにおいては、最大電力点におけるストリング電圧及びストリング電流を、ＭＰＰストリング電圧及びＭＰＰストリング電流と示している。
【００７９】
図１１Ａにおいては、日射強度が７００Ｗ／ｍ２の場合にＭＰＰストリング電流として１．６Ａが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ１．５Ａ、１．３Ａ、１．１Ａ、０．９Ａ及び０．６Ａが抽出されている。また、日射強度が７００Ｗ／ｍ２の場合にＭＰＰストリング電圧として５８４Ｖが抽出されている。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ５７４Ｖ、５６４Ｖ、５５２Ｖ、５３６Ｖ及び５１６Ｖが抽出されている。
【００８０】
この場合、ストリングシステム抵抗は、日射強度が７００Ｗ／ｍ２の場合に３７０Ωと算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ３７５Ω、４２４Ω、４９９Ω、６０４Ω及び８８１Ωが算出される。また、ストリングシステム抵抗逆数は、日射強度が７００Ｗ／ｍ２の場合に０．００３と算出される。同様に、日射強度が６００Ｗ／ｍ２、５００Ｗ／ｍ２、４００Ｗ／ｍ２、３００Ｗ／ｍ２及び２００Ｗ／ｍ２の場合に、それぞれ０．００３、０．００２、０．００２、０．００２及び０．００１が抽出される。
【００８１】
図１１Ｂには、診断時における日射強度とＭＰＰストリング電圧との相間を示している。図１１Ｂに示すように、診断時において、ＭＰＰストリング電圧は、日射強度が大きくなるに連れて緩やかに大きくなる特性を示している。なお、図１１Ｂでは、説明の便宜上、基準時線形係数算出処理で抽出された日射強度とＭＰＰストリング電圧との相間を示している（図６Ｂ参照）。図１１Ｂから分かるように、診断時線形係数算出処理で抽出されたＭＰＰストリング電圧は、基準時線形係数算出処理で抽出されたＭＰＰストリング電圧と略同一の値となっている。
【００８２】
図１１Ｃには、診断時における日射強度とＭＰＰストリング電流との相間を示している。図１１Ｃに示すように、診断時において、ＭＰＰストリング電流は、日射強度が大きくなるに連れて緩やかに大きくなる特性を示している。なお、図１１Ｃでは、説明の便宜上、基準時線形係数算出処理で抽出された日射強度とＭＰＰストリング電流との相間を示している（図６Ｃ参照）。図１１Ｃから分かるように、診断時線形係数算出処理で抽出されたＭＰＰストリング電流は、基準時線形係数算出処理で抽出されたＭＰＰストリング電流よりも値が全般的に小さくなっている。
【００８３】
図１２に、診断時線形係数算出処理で抽出されるＭＰＰストリング電流とストリングシステム抵抗逆数との相間を示す。図１２では、図７と同様に、ＭＰＰストリング電流とストリングシステム抵抗逆数とが示すＩＲ動作点を日射強度毎にプロットしている。図１２では、ＩＲ動作点として、日射強度７００Ｗ／ｍ２、６００Ｗ／ｍ２、５００Ｗ／ｍ２、４００Ｗ／ｍ２、３００Ｗ／ｍ２及び２００Ｗ／ｍ２に対応づけて、それぞれＩＲ７２、ＩＲ６２、ＩＲ５２、ＩＲ４２、ＩＲ３２、ＩＲ２２と示している。なお、図１２では、説明の便宜上、基準時線形係数算出処理で得られたＩＲ動作点を示している（図７参照）。
【００８４】
図１２に示すように、診断時において、ＩＲ動作点は、日射強度が大きくなるに連れてＭＰＰストリング電流とストリングシステム抵抗逆数が大きくなる特性を示している。また、診断時において、ＩＲ動作点は、ＭＰＰストリング電流の幅が極端に狭くなる特性を示している。算出部１７１は、このように抽出された複数のＩＲ動作点ＶＩ２２〜ＶＩ７２から、最小二乗法を用いて診断時線形回帰特性近似式を算出する。この場合、診断時線形回帰特性近似式として、ｙ＝０．００１６ｘ＋０．０００２が求められる。なお、決定係数Ｒ２は、０．９９８６である。
【００８５】
ここで、基準時線形回帰式と同様に、診断時線形回帰式の右辺の第１項の係数（０．００１６）は、診断時線形回帰式の傾斜角度を示す線形係数と呼ぶことができる。診断時線形係数算出処理のステップＳＴ８０１においては、この線形係数（診断時線形係数）を算出する。これにより、診断時における線形回帰式（診断時線形回帰式）の傾斜角度を示す線形係数（診断時線形係数）が算出される。図１２から分かるように、診断対象となるストリング１１が部分的に劣化している場合には、線形係数は略同一となるものの、ＭＰＰストリング電流が出現する幅が極端に短くなっている。
【００８６】
このような診断時線形係数算出処理を行った後、診断システム１０は、図４に示すように、診断対象となるストリング１１の劣化を判定する処理（劣化判定処理）を行う（ステップＳＴ４０３）。劣化判定処理は、基準時線形係数算出処理で算出された基準時線形係数ＳＡｓと、診断時線形係数算出処理で算出された診断時線形係数ＳＡｃとに基づいて、診断対象となるストリング１１の劣化（全体的な劣化又は部分的な劣化）を判定する。なお、この劣化判定処理は、診断装置１７の判定部１７３で行われる。
【００８７】
図１３は、図４に示す劣化判定処理を説明するためのフロー図である。図１３においては、説明の便宜上、基準時線形係数ＳＡｓを算出する際に使用した特定のストリングシステム抵抗逆数の値を「ＳＡｓ値」と示し、診断時線形係数ＳＡｃを算出する際に使用した特定のストリングシステム抵抗逆数の値を「ＳＡｃ値」と示している。例えば、特定のストリングシステム抵抗逆数の値（ＳＡｓ値、ＳＡｃ値）として、日射強度が６００Ｗ／ｍ２時におけるストリングシステム抵抗逆数の値を使用することができるが、これに限定されるものではなく、適宜変更が可能である。
【００８８】
図１３に示すように、劣化判定処理においては、まず、診断時線形係数ＳＡｃを基準時線形係数ＳＡｓで除算した値（ＳＡｃ／ＳＡｓ）が所定の閾値より大きいかを判定する（ステップＳＴ１３０１）。このステップＳＴ１３０１では、診断時線形回帰式の傾斜角度が、基準時線形回帰式の傾斜角度よりも大きいかを判定している（図１０参照）。
【００８９】
なお、本実施の形態においては、ステップＳＴ１３０１における所定の閾値として、「１」を用いる場合について説明するが、これに限定されず、任意の閾値を使用することができる。この所定の閾値については、太陽光発電システムの運用状況や温度状況に応じて適宜設定することが好ましい。
【００９０】
ＳＡｃ／ＳＡｓが１より大きい場合（ステップＳＴ１３０１：Ｙｅｓ）には、判定部１７３は、診断対象のストリング１１の全体的な劣化を判定する（ステップＳＴ１３０２）。つまり、判定部１７３は、診断時線形回帰式の傾斜角度が、基準時線形回帰式の傾斜角度よりも大きい場合にストリング１１の全体的な劣化を判定できるものとなっている。このように診断システム１０においては、基準時線形係数に対する診断時線形係数の比率に応じてストリング１１の全体的な劣化が判定される。これにより、複雑な処理を必要とすることなくストリング１１の全体的な劣化を検出することができる。
【００９１】
一方、ＳＡｃ／ＳＡｓが１以下である場合（ステップＳＴ１３０１：Ｎｏ）、判定部１７３は、基準時線形係数ＳＡｓ、診断時線形係数ＳＡｃを算出する際に使用した特定のストリングシステム抵抗逆数の値（ＳＡｓ値、ＳＡｃ値）を抽出する（ステップＳＴ１３０３）。
【００９２】
そして、判定部１７３は、ＳＡｃ値をＳＡｓ値で除算した値（ＳＡｃ値／ＳＡｓ値）が所定の閾値より小さいかを判定する（ステップＳＴ１３０４）。なお、本実施の形態においては、ステップＳＴ１３０４における所定の閾値として、「１」を用いる場合について説明するが、これに限定されず、任意の閾値を使用することができる。この所定の閾値については、太陽光発電システムの運用状況や温度状況に応じて適宜設定することが好ましい。
【００９３】
ＳＡｃ値／ＳＡｓ値が所定の閾値より小さい場合（ステップＳＴ１３０４：Ｙｅｓ）には、判定部１７３は、診断対象のストリング１１ａの部分的な劣化を判定する（ステップＳＴ１３０５）。つまり、判定部１７３は、ＳＡｃ値／ＳＡｓ値が所定の閾値より小さい場合にストリング１１の部分的な劣化を判定できるものとなっている。なお、特定のストリングシステム抵抗逆数の値ではなく、基準時におけるＭＰＰストリング電流の変化量と、診断時におけるＭＰＰストリング電流の変化量とを比較し、後者の変化量が前者の変化量の一定割合以下である場合にストリング１１の部分的な劣化と判定するようにしてもよい。
【００９４】
このように診断システム１０では、基準時及び診断時におけるストリングシステム抵抗逆数に基づいてストリング１１の部分的な劣化が判定される。これにより、ストリング１１の全体的な劣化のみならず、部分的な劣化を検出することができる。特に、診断システム１０では、基準時線形係数の算出に使用したストリングシステム抵抗逆数に対する診断時線形係数の算出に使用したストリングシステム抵抗逆数の比率に応じてストリング１１の部分的な劣化が判定される。これにより、複雑な処理を必要とすることなくストリング１１の部分的な劣化を検出することができる。
【００９５】
一方、ＳＡｃ値／ＳＡｓ値が所定の閾値以上である場合（ステップＳＴ１３０４：Ｎｏ）、判定部１７３は、処理をステップＳＴ１３０１に戻し、ステップＳＴ１３０１〜ＳＴ１３０５の処理を繰り返す。すなわち、ＳＡｃ／ＳＡｓが１以下であり、ＳＡｃ値がＳＡｓ値以上である場合には、ストリング１１に劣化（全体的な劣化又は部分的な劣化）が見られないと判定し、監視動作を継続する。
【００９６】
ステップＳＴ１３０２又はステップＳＴ１３０５において、診断対象となるストリング１１の全体的な劣化又は部分的な劣化と判定した後、判定部１７３は、その診断結果に応じた対策（診断結果対策）の報知を表示部１７４に指示する（ステップＳＴ１３０６）。この指示を受けると、表示部１７４は、診断結果対策を報知する。例えば、表示部１７４は、ストリング状態診断画像データを表示する。
【００９７】
例えば、診断対象となるストリング１１の全体的な劣化と判定した場合、判定部１７３は、ストリング１１に含まれる全ての太陽電池モジュール２０の清掃、パワーコンディショナ１４の点検等により太陽電池アレイＡに共通の劣化要因を特定する対策の報知を指示することができる。また、判定部１７３は、太陽光発電システムの延命が望まれる環境下では、太陽電池アレイＡの交換の報知を指示してもよい。
【００９８】
一方、診断対象となるストリング１１の部分的な劣化と判定した場合、判定部１７３は、太陽電池モジュールチェッカ（モジュールチェッカ）により、異常が発生した太陽電池モジュール２０を特定し、その太陽電池モジュール２０の清掃や定常的に発生している影の除去の報知を指示することができる。また、判定部１７３は、異常は発生した太陽電池モジュール２０の交換の報知を指示してもよい。
【００９９】
以上説明したように、本実施の形態に係る診断システム１０によれば、基準時及び診断時における複数の日射強度毎の最大電力点におけるストリングシステム抵抗逆数から求められる線形回帰式の線形係数（基準時線形係数、診断時線形係数）の比較結果に基づいてストリング１１の劣化が判定される。ここで、複数の日射強度毎の最大電力点におけるストリングシステム抵抗には、日陰等の外的要因やＭＰＰＴ制御時の最大電力点のミスマッチ等の内的要因の影響が含まれる。このような外的要因や内的要因の影響を受けるストリングシステム抵抗逆数の線形回帰式の線形係数を用いてストリング１１の劣化が判定されるので、様々な環境下において、ストリング１１の劣化を判定することができる。
【０１００】
また、本実施の形態に係る診断システム１０においては、判定部１７３にて、ストリング１１〜１３の劣化判定に利用した線形係数（基準時線形係数、診断時線形係数）又はこれらの線形係数の算出に使用されるストリングシステム抵抗逆数の値（ＳＡｓ値、ＳＡｃ値）を示すストリング状態診断画像データを生成し、表示部１７４にて、このストリング状態診断画像データを表示することができる。これにより、例えば、ストリング１１〜１３の全体的又は部分的な劣化を作業者に視認させることができる。これにより、ストリング１１〜１３や太陽電池モジュール２０の点検等の対策の必要性を直感的に認識させることができる。
【０１０１】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【０１０２】
例えば、上記実施の形態においては、診断システム１０が、測定装置１５及び受信サーバ１６を備える場合について説明している。しかしながら、本発明に係る診断システムの構成については、これに限定されるものではなく適宜変更が可能である。例えば、これらの測定装置１５及び受信サーバ１６の機能を診断装置１７に備える構成としてもよい。
【０１０３】
図１４は、本実施の形態の変形例に係る診断システム３０の構成を示すブロック図である。図１４に示すように、診断システム３０においては、測定装置１５及び受信サーバ１６を備えていない点、並びに、診断装置１７がストリング電流測定部（以下、適宜「測定部」という）１７６及び記憶部１７７を有する点にて、図１に示す診断システム１０と相違する。なお、図１４において、図１に示す診断システム１０と共通の構成については、同一の符号を付し、その説明を省略する。
【０１０４】
測定部１７６は、図１に示す測定装置１５と同様の機能を有する。測定部１７６は、メガソーラーシステムにおける発電電流をストリング１１〜１３におけるストリング単位で測定する。すなわち、測定部１７６は、ストリング１１〜１３におけるストリング電圧及びストリング電流を測定する。
【０１０５】
記憶部１７７は、図１に示す記憶部１７２に記憶される情報に加え、図１に示す受信サーバ１６に記憶されるデータを保存する。記憶部１７７は、測定部１７６で測定されたストリング電流の電流値を含むデータを保存する。例えば、記憶部１７７は、図１に示す受信サーバ１６と同様に、これらのストリング電流の測定値等のデータを、一定期間（例えば、１か月）保存するようにしてもよい。
【０１０６】
図１４に示す診断システム３０においては、診断装置１７をストリング１１〜１３に接続された配線に接続することで、測定部１７６にてストリング１１〜１３におけるストリング単位で測定することができる。このため、例えば、作業者がメガソーラーシステムの敷地まで診断装置１７を台車等で運搬し、ストリング１１〜１３に対応する配線に接続する態様にてストリング１１〜１３の異常を診断することができる。したがって、メガソーラーシステムを構成する全ての太陽電池アレイＡに接続されるような大規模な設備を必要とすることなく、ストリング１１〜１３の劣化を容易に判定することが可能となる。
【０１０７】
さらに、上記実施の形態においては、測定装置１５（測定部１７６）がストリング１１〜１３におけるストリング電圧及びストリング電流を測定する場合について説明している。しかしながら、ストリング１１〜１３におけるストリング電圧及びストリング電流の測定の方法については、これに限定されるものではなく適宜変更が可能である。例えば、ストリング１１〜１３に対応する配線にそれぞれ電圧及び電流を測定するセンサ（電圧センサ及び電流センサ）を備え、これらの電圧センサ及び電流センサの測定結果を診断装置１７に有線通信又は無線通信にて受け渡すようにしてもよい。
【０１０８】
さらに、上記実施の形態においては、ストリング１１〜１３毎に劣化判定を行う場合について説明している。しかしながら、診断システム１０において劣化判定を行う対象については、これに限定されるものではなく適宜変更が可能である。例えば、複数のストリングで構成される太陽電池アレイを劣化判定の対象とすることもできる。この場合には、上記実施の形態と同様に、様々な環境下において、判定に用いる日射強度帯を限定し、回帰式を用いて太陽電池アレイの劣化を判定することができる。
【０１０９】
また、最後に本実施形態の特徴を以下に整理する。
これらの太陽電池ストリング診断システムは、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断システムであって、前記太陽電池ストリング単位で最大電力点追従制御により選出される最大電力点を抽出する抽出手段と、複数の日射強度毎の最大電力点における前記太陽電池ストリングのストリングシステム抵抗の逆数から求められる線形回帰式の線形係数を算出する算出手段と、基準時に算出された前記線形係数と、診断時に算出された前記線形係数との比較結果に基づいて前記太陽電池ストリングの劣化を判定する判定手段と、を備えることを特徴とする。
【０１１０】
上記太陽電池ストリング診断システムによれば、基準時及び診断時における複数の日射強度毎の最大電力点におけるストリングシステム抵抗の逆数から求められる線形回帰式の線形係数の比較結果に基づいて太陽電池ストリングの劣化が判定される。ここで、複数の日射強度毎の最大電力点におけるストリングシステム抵抗には、日陰等の外的要因やＭＰＰＴ制御時の最大電力点のミスマッチ等の内的要因の影響が含まれる。このような外的要因や内的要因の影響を受けるストリングシステム抵抗の逆数の線形回帰式の線形係数を用いて太陽電池ストリングの劣化が判定されるので、様々な環境下において、判定に用いる日射強度帯を限定し、回帰式を用いて太陽電池ストリングの劣化を判定することができる。
【０１１１】
例えば、上記太陽電池ストリング診断システムにおいて、前記判定手段は、診断時に算出された前記線形係数を、基準時に算出された前記線形係数で除算した値が所定値より大きい場合に前記太陽電池ストリングの全体的な劣化と判定する。この構成によれば、基準時における線形係数に対する診断時における線形係数の比率に応じて太陽電池ストリングの全体的な劣化が判定される。これにより、複雑な処理を必要とすることなく太陽電池ストリングの全体的な劣化を検出することができる。この結果、太陽電池ストリングの全体的な劣化に応じた対策を促すことができる。
【０１１２】
また、上記太陽電池ストリング診断システムにおいて、前記判定手段は、診断時に算出された前記線形係数を、基準時に算出された前記線形係数で除算した値が所定値以下である場合、基準時の前記線形係数の算出に使用した前記ストリングシステム抵抗の逆数と、診断時の前記線形係数の算出に使用した前記ストリングシステム抵抗の逆数との比較結果に応じて前記太陽電池ストリングの部分的な劣化を判定する。この構成によれば、基準時及び診断時におけるストリングシステム抵抗の逆数に基づいて太陽電池ストリングの部分的な劣化が判定される。これにより、太陽電池ストリングの全体的な劣化のみならず、部分的な劣化を検出することができる。この結果、太陽電池ストリングに含まれる太陽電池モジュールの点検等の対策を促すことができる。
【０１１３】
さらに、上記太陽電池ストリング診断システムにおいて、前記判定手段は、診断時の前記線形係数の算出に使用した前記ストリングシステム抵抗の逆数を、基準時の前記線形係数の算出に使用した前記ストリングシステム抵抗の逆数で除算した値が所定値より小さい場合に前記太陽電池ストリングの部分的な劣化と判定する。この構成によれば、基準時の線形係数の算出に使用したストリングシステム抵抗の逆数に対する診断時の線形係数の算出に使用したストリングシステム抵抗の逆数の比率に応じて太陽電池ストリングの部分的な劣化が判定される。これにより、複雑な処理を必要とすることなく太陽電池ストリングの部分的な劣化を検出することができる。この結果、太陽電池ストリングに含まれる太陽電池モジュールの点検等の対策を促すことができる。
【０１１４】
さらに、上記太陽電池ストリング診断システムにおいて、前記判定手段は、前記太陽電池ストリングの劣化の判定に利用した前記線形係数又は前記値を示す画像データを生成することができる。この構成によれば、太陽電池ストリングの劣化判定に利用した線形係数又は値を示す画像データが生成されることから、例えば、太陽電池ストリングの全体的又は部分的な劣化を作業者に視認させることができる。これにより、太陽電池ストリングや太陽電池モジュールの点検等の対策の必要性を直感的に認識させることができる。
【０１１５】
本発明に係る太陽電池ストリング診断方法は、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断方法であって、前記太陽電池ストリング単位で最大電力点追従制御により選出される最大電力点を抽出するステップと、複数の日射強度毎の最大電力点における前記太陽電池ストリングのストリングシステム抵抗の逆数から求められる線形回帰式の線形係数を算出するステップと、基準時に算出された前記線形係数と、診断時に算出された前記線形係数との比較結果に基づいて前記太陽電池ストリングの劣化を判定するステップと、を備えることを特徴とする。
【０１１６】
上記太陽電池ストリング診断方法によれば、基準時及び診断時における複数の日射強度毎の最大電力点におけるストリングシステム抵抗の逆数から求められる線形回帰式の線形係数の比較結果に基づいて太陽電池ストリングの劣化が判定される。ここで、複数の日射強度毎の最大電力点におけるストリングシステム抵抗には、日陰等の外的要因やＭＰＰＴ制御時の最大電力点のミスマッチ等の内的要因の影響が含まれる。このような外的要因や内的要因の影響を受けるストリングシステム抵抗の逆数の線形回帰式の線形係数を用いて太陽電池ストリングの劣化が判定されるので、様々な環境下において、太陽電池ストリングの劣化、および太陽電池ストリングの集合体である太陽電池アレイの劣化を判定することができる。
【符号の説明】
【０１１７】
１０、３０  太陽電池ストリング診断システム（診断システム）
１１〜１３  太陽電池ストリング（ストリング）
１４  パワーコンディショナ
１５  ストリング電気特性測定装置（測定装置）
１６  ストリング電気特性受信サーバ（受信サーバ）
１７  診断装置
１７１  線形係数算出部（算出部）
１７２、１７７  記憶部
１７３  判定部
１７４  表示部
１７５  通信部
１７６  ストリング電流測定部（測定部）
１８  監視装置
２０  太陽電池モジュール
２０１  太陽電池セル
２０２  バイパスダイオード
２０３  サブストリング
２１〜２３  逆流防止ダイオード（ブロッキングダイオード）
Ａ  太陽電池アレイ
【図１】
2017223611.tif 000003
【図２】
2017223611.tif 000004
【図３】
2017223611.tif 000005
【図４】
2017223611.tif 000006
【図５】
2017223611.tif 000007
【図６】
2017223611.tif 000008
【図７】
2017223611.tif 000009
【図８】
2017223611.tif 000010
【図９】
2017223611.tif 000011
【図１０】
2017223611.tif 000012
【図１１】
2017223611.tif 000013
【図１２】
2017223611.tif 000014
【図１３】
2017223611.tif 000015
【図１４】
2017223611.tif 000016
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断システムであって、
前記太陽電池ストリング単位で最大電力点追従制御により選出される最大電力点を抽出する抽出手段と、
複数の日射強度毎の最大電力点における前記太陽電池ストリング単位での発電電圧としてのストリング電圧を、前記太陽電池ストリング単位での発電電流としてのストリング電流で除算して得られるストリングシステム抵抗の逆数から、前記ストリング電流を独立変数とし前記ストリングシステム抵抗の逆数を従属変数として求められる線形回帰式の線形係数を算出する算出手段と、
基準時に算出された前記線形係数と、診断時に算出された前記線形係数との比較結果に基づいて前記太陽電池ストリングの劣化を判定する判定手段と、を備えることを特徴とする太陽電池ストリング診断システム。
【請求項２】
前記判定手段は、診断時に算出された前記線形係数を、基準時に算出された前記線形係数で除算した値が所定値より大きい場合に前記太陽電池ストリングの全体的な劣化と判定することを特徴とする請求項１に記載の太陽電池ストリング診断システム。
【請求項３】
前記判定手段は、診断時に算出された前記線形係数を、基準時に算出された前記線形係数で除算した値が所定値以下である場合、基準時の前記線形係数の算出に使用した前記ストリングシステム抵抗の逆数と、診断時の前記線形係数の算出に使用した前記ストリングシステム抵抗の逆数との比較結果に応じて前記太陽電池ストリングの部分的な劣化を判定することを特徴とする請求項１又は請求項２に記載の太陽電池ストリング診断システム。
【請求項４】
前記判定手段は、診断時の前記線形係数の算出に使用した前記ストリングシステム抵抗の逆数を、基準時の前記線形係数の算出に使用した前記ストリングシステム抵抗の逆数で除算した値が所定値より小さい場合に前記太陽電池ストリングの部分的な劣化と判定することを特徴とする請求項３に記載の太陽電池ストリング診断システム。
【請求項５】
前記判定手段は、前記太陽電池ストリングの劣化判定に利用した前記線形係数又は前記値を示す画像データを生成することを特徴とする請求項１から請求項４のいずれかに記載の太陽電池ストリング診断システム。
【請求項６】
太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断方法であって、
前記太陽電池ストリング単位で最大電力点追従制御により選出される最大電力点を抽出するステップと、
複数の日射強度毎の最大電力点における前記太陽電池ストリング単位での発電電圧としてのストリング電圧を、前記太陽電池ストリング単位での発電電流としてのストリング電流で除算して得られるストリングシステム抵抗の逆数から、前記ストリング電流を独立変数とし前記ストリングシステム抵抗の逆数を従属変数として求められる線形回帰式の線形係数を算出するステップと、
基準時に算出された前記線形係数と、診断時に算出された前記線形係数との比較結果に基づいて前記太陽電池ストリングの劣化を判定するステップと、を備えることを特徴とする太陽電池ストリング診断方法。
【手続補正２】
【補正対象書類名】明細書
【補正対象項目名】００１０
【補正方法】変更
【補正の内容】
【００１０】
本発明に係る太陽電池ストリング診断システムは、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断システムであって、前記太陽電池ストリング単位で最大電力点追従制御により選出される最大電力点を抽出する抽出手段と、複数の日射強度毎の最大電力点における前記太陽電池ストリング単位での発電電圧としてのストリング電圧を、前記太陽電池ストリング単位での発電電流としてのストリング電流で除算して得られるストリングシステム抵抗の逆数から、前記ストリング電流を独立変数とし前記ストリングシステム抵抗の逆数を従属変数として求められる線形回帰式の線形係数を算出する算出手段と、基準時に算出された前記線形係数と、診断時に算出された前記線形係数との比較結果に基づいて前記太陽電池ストリングの劣化を判定する判定手段と、を備えることを特徴とする。
【手続補正３】
【補正対象書類名】明細書
【補正対象項目名】００１５
【補正方法】変更
【補正の内容】
【００１５】
本発明に係る太陽電池ストリング診断方法は、太陽光発電システムの運用開始時を含む基準時における太陽電池ストリングの特性と、任意の診断時における前記太陽電池ストリングの特性とを比較して前記太陽電池ストリングの劣化を診断する太陽電池ストリング診断方法であって、前記太陽電池ストリング単位で最大電力点追従制御により選出される最大電力点を抽出するステップと、複数の日射強度毎の最大電力点における前記太陽電池ストリング単位での発電電圧としてのストリング電圧を、前記太陽電池ストリング単位での発電電流としてのストリング電流で除算して得られるストリングシステム抵抗の逆数から、前記ストリング電流を独立変数とし前記ストリングシステム抵抗の逆数を従属変数として求められる線形回帰式の線形係数を算出するステップと、基準時に算出された前記線形係数と、診断時に算出された前記線形係数との比較結果に基づいて前記太陽電池ストリングの劣化を判定するステップと、を備えることを特徴とする。